(57)【特許請求の範囲】
【請求項１】
端末機から発信される映像信号を受信する信号受信部と；
前記映像信号に顔情報があるか否かを確認する顔情報検出部と；
前記端末機の発信位置を検出し、前記発信位置がセキュリティ地域に属しているか否かを確認する位置判別部と；
前記発信位置がセキュリティ地域に属していない場合、あるいは、前記発信位置がセキュリティ地域に属しつつ前記映像信号に顔情報が含まれている場合は前記映像情報を端末機に対して送信し、前記発信位置がセキュリティ地域に属しつつ前記映像信号に顔情報が含まれていない場合は前記映像情報を端末機に対して送信しない制御部と；
を備えて構成されることを特徴とする顔情報の検出により基地局のセキュリティを提供する装置。
【請求項２】
前記制御部が映像情報を端末機に対して送信する場合、前記映像情報に含まれる顔情報のみを抽出して背景映像を除いた顔情報のみを該端末機に対して送信することを特徴とする請求項１に記載の顔情報の抽出により基地局のセキュリティを提供する装置。
【請求項３】
セキュリティを要するセキュリティ地域に関する位置情報を蓄積したデータベースを更に備えることを特徴とする請求項１に記載の顔情報の検出により基地局のセキュリティを提供する装置。
【請求項４】
前記制御部は、
前記映像信号に顔情報が含まれる場合、前記映像信号から抽出された顔情報が端末機のユーザの顔であるか否かを判別し、前記顔情報がユーザの顔である場合は前記映像信号を端末機に対して送信することを特徴とする請求項１に記載の顔情報の検出により基地局のセキュリティを提供する装置。
【請求項５】
請求項１に記載の顔情報の検出により基地局のセキュリティを提供する装置で用いられる基地局のセキュリティを提供する方法であって、
（ａ）端末機から発信された映像信号を受信して前記映像信号に顔情報が含まれているか否かを確認する段階と；
（ｂ）前記端末機の発信位置を検出し、前記発信位置がセキュリティ地域に属しているか否かを確認する段階と；
（ｃ）前記発信位置がセキュリティ地域に属していない場合、あるいは、前記発信位置がセキュリティ地域に属しつつ前記映像信号に顔情報が含まれている場合は前記映像情報を端末機に対して送信し、前記発信位置がセキュリティ地域に属しつつ前記映像信号に顔情報が含まれていない場合は前記映像情報を端末機に対して送信しない段階と；
を含んで構成されることを特徴とする顔情報の検出により基地局のセキュリティを提供する方法。
【請求項６】
前記（ｃ）段階において、映像情報を送信する場合、前記映像情報に含まれる顔情報のみを抽出して背景映像を除いた顔情報のみを該端末機に対して送信することを特徴とする請求項５に記載の顔情報の検出により基地局のセキュリティを提供する方法。
【請求項７】
前記（ｃ）段階において、前記映像情報に顔情報が含まれる場合、前記映像信号から抽出された顔情報が端末機のユーザの顔であるか否かを判別し、前記顔情報がユーザの顔である場合は前記映像信号を端末機に対して送信することを特徴とする請求項５に記載の顔情報の検出により基地局のセキュリティを提供する方法。
【請求項８】
請求項１に記載の顔情報の検出により基地局のセキュリティを提供する装置に含まれる顔情報を検出する端末機の画像通信装置であって、
映像信号を生成する映像生成部と；
前記映像信号から顔情報を検出する顔情報検出部と；
前記映像信号から顔情報が検出された場合は、前記顔情報がユーザの顔であるか否かを判別する顔情報検証部と；
前記顔情報がユーザの顔であると判別された場合は、前記顔情報入りの映像信号を前記基地局に対して送信する信号送信部と；
を備えて構成されることを特徴とする顔情報を検出する端末機の画像通信装置。
【請求項９】
前記信号送信部は、前記顔情報がユーザの顔でない場合は前記映像信号を遮断することを特徴とする請求項８に記載の顔情報を検出する端末機の画像通信装置。
【請求項１０】
前記映像信号に含まれる背景または人物に関する映像を編集する映像編集部を更に備えて構成されることを特徴とする請求項８に記載の顔情報を検出する端末機の画像通信装置。
【請求項１１】
請求項１に記載の顔情報の検出により基地局のセキュリティを提供する装置に含まれる顔情報を検出する端末機の画像通信方法であって、
（ａ）映像信号を生成し、前記映像信号から顔情報を検出する段階と；
（ｂ）前記映像信号から顔情報が検出された場合は、前記顔情報がユーザの顔であるか否かを判別する段階と；
（ｃ）前記顔情報がユーザの顔である場合は、前記顔情報入りの映像信号を前記基地局に対して送信する段階と；
を含んで構成されることを特徴とする顔情報を検出する端末機の画像通信方法。
【請求項１２】
前記（ｃ）段階において、前記顔情報がユーザの顔でない場合は前記映像信号を遮断することを特徴とする請求項１１に記載の顔情報を検出する端末機の画像通信方法。
【請求項１３】
前記映像信号を送信する前に、前記映像信号に含まれる背景または人物に関する映像を編集する段階を、更に含んで構成されることを特徴とする請求項１１に記載の顔情報を検出する端末機の画像通信方法。
【請求項１４】
請求項８に記載の顔情報を検出する端末機の画像通信方法のコンピュータで実行することが可能なプログラムを記録したコンピュータで読取り可能な記録媒体であって、
（ａ）端末機から発信された映像信号を受信して前記映像信号に顔情報が含まれているか否かを確認する段階と；
（ｂ）前記端末機の発信位置を検出し、前記発信位置がセキュリティ地域に属しているか否かを確認する段階と；
（ｃ）前記発信位置がセキュリティ地域に属していない場合、あるいは、前記発信位置がセキュリティ地域に属しつつ前記映像信号に顔情報が含まれている場合は前記映像情報を前記基地局に対して送信し、前記発信位置がセキュリティ地域に属しつつ前記映像信号に顔情報が含まれていない場合は前記映像情報を前記基地局に対して送信しない段階と；
を含むコンピュータで実行可能なプログラムを記録したコンピュータで読取り可能な記録媒体。
【請求項１５】
請求項８に記載の顔情報を検出する端末機の画像通信方法のコンピュータで実行することが可能なプログラムを記録したコンピュータで読取り可能な記録媒体であって、
（ａ１）映像信号を生成し、前記映像信号から顔情報を検出する段階と；
（ｂ１）前記映像信号から顔情報が検出されれば、前記顔情報がユーザの顔であるか否かを判別する段階と；
（ｃ１）前記顔情報がユーザの顔である場合は、前記顔情報入りの映像信号を前記基地局に対して送信する段階と；
を含むコンピュータで実行可能なプログラムを記録したコンピュータで読取り可能な記録媒体。
【発明の詳細な説明】
【０００１】
【発明の属する技術分野】
本発明は、顔情報の検出により基地局または端末機のセキュリティを提供する装置及びその方法に関する。
【０００２】
【従来の技術】
近年、個人向け画像付き端末機の普及に伴い、通信サービス会社によって様々なＬＳＢ（Ｌｏｃａｔｉｏｎ  Ｂａｓｅｄ  Ｓｅｒｖｉｃｅ）がユーザに提供されている。また、コンピュータ、ディスプレイ及びバッテリの性能が向上するに従い、端末機における画像の解像度も高まりつつある。しかし、画像付き移動体通信が更に広範に普及すれば、音声のみで通話する従来の移動体通信とは異なり、予期せぬ情報の流出といった多くの問題を招くおそれがある。例えば、ユーザが希望しない画像情報が送られてくる場合や、セキュリティを要する情報が流出してしまう場合等が挙げられる。また、画像付き移動体通信のユーザは、様々な画像編集機能を要求するものと考えられる。
【０００３】
従来は、電波遮断装置を用いることによって、画像付き移動体通信の電波の送受信を妨げる方法が利用されていた。しかし、この方法は、妨害電波発信装置が高価であるため、現実的には普及は困難である。一方、ユーザが希望しない画像情報を送信する代わりに、所定の画面を送信するという方案が提案されているが、これでは、ユーザの様々な画像編集の要望を満足させることができない。
そこで、情報セキュリティの確保が要求される一定の地域内において、個人的な画像通信は許容する一方で、情報の流出を防止しなければならない場合に限って選択的に画像の送信を遮断し、個人のプライバシーは保護しつつ情報セキュリティを保持できるセキュリティ技術の開発が望まれている。
【０００４】
【発明が解決しようとする課題】
本発明は、前記問題点を解決するためになされたものであって、端末機から送られてきた映像信号に顔映像が含まれているか否かに応じて映像信号を送信するか否かを決定する、基地局におけるセキュリティ装置及びその方法を提供することを目的とする。また、端末機から送られてきた映像信号に含まれる顔映像に基づいて、映像信号を送信するか否かを決定する、端末機におけるセキュリティ装置及びその方法を提供することを目的とする。
【０００５】
【発明が解決しようとする課題】
前記目的を達成するための本発明に係る顔情報の検出により基地局のセキュリティを提供する装置は、端末機から発信される映像信号を受信する信号受信部と、前記映像信号に顔情報があるか否かを確認する顔情報検出部と、前記端末機の発信位置を検出し、前記発信位置がセキュリティ地域に属しているか否かを確認する位置判別部と、前記発信位置がセキュリティ地域に属していない場合、あるいは、前記発信位置がセキュリティ地域に属しつつ前記映像信号に顔情報が含まれている場合は前記映像情報を端末機に対して送信し、前記発信位置がセキュリティ地域に属しつつ前記映像信号に顔情報が含まれていない場合は前記映像情報を端末機に対して送信しない制御部とを備えて構成される（請求項１）。
【０００６】
前記セキュリティ提供装置において、望ましくは、制御部が映像情報を端末機に対して送信する場合、前記映像情報に含まれる顔情報のみを抽出して背景映像を除いた顔情報のみを該端末機に対して送信するように構成する（請求項２）。
【０００７】
また、前記セキュリティ提供装置において、望ましくは、セキュリティを要するセキュリティ地域に関する位置情報を蓄積したデータベースを更に備えて構成する（請求項３）。
【０００８】
前記セキュリティ提供装置において、より望ましくは、前記制御部は、前記映像信号に顔情報が含まれる場合、前記映像信号から抽出された顔情報が端末機ユーザの顔であるか否かを判別し、前記顔情報がユーザの顔である場合は前記映像信号を端末機に対して送信するように構成する（請求項４）。
【０００９】
一方、前記目的を達成するための本発明に係る顔情報を検出する端末機の画像通信方法は、前記顔情報の検出により基地局のセキュリティを提供する装置で用いられる基地局のセキュリティを提供する方法であって、（ａ）端末機から発信された映像信号を受信して前記映像信号に顔情報が含まれているか否かを確認する段階と、（ｂ）前記端末機の発信位置を検出し、前記発信位置がセキュリティ地域に属しているか否かを確認する段階と、（ｃ）前記発信位置がセキュリティ地域に属していない場合、あるいは、前記発信位置がセキュリティ地域に属しつつ前記映像信号に顔情報が含まれている場合は前記映像情報を端末機に対して送信し、前記発信位置がセキュリティ地域に属しつつ前記映像信号に顔情報が含まれていない場合は前記映像情報を端末機に対して送信しない段階とを含んで構成される（請求項５）。
【００１０】
前記端末機の画像通信方法において、望ましくは、前記（ｃ）段階において、映像情報を端末機に対して送信する場合、前記映像情報に含まれる顔情報のみを抽出して背景映像を除いた顔情報のみを該端末機に対して送信するように構成することができる（請求項６）。
【００１１】
また、前記端末機の画像通信方法において、望ましくは、前記（ｃ）段階において、前記映像信号に顔情報が含まれる場合、前記映像信号から抽出された顔情報が端末機のユーザの顔であるか否かを判別し、前記顔情報がユーザの顔である場合は前記映像信号を前記基地局に対して送信するように構成することができる（請求項７）。
【００１２】
前記目的を達成するための本発明に係る顔情報を検出する端末機の画像通信装置は、映像信号を生成する映像生成部と、前記映像信号から顔情報を検出する顔情報検出部と、前記映像信号から顔情報が検出された場合は、前記顔情報がユーザの顔であるか否かを判別する顔情報検証部と、前記顔情報がユーザの顔であると判別された場合は、前記顔情報入りの映像信号を前記基地局に対して送信する信号送信部とを備えて構成される（請求項８）。
【００１３】
前記目的を達成するために、本発明に係る顔情報を検出する端末機の画像通信方法は、前記顔情報の検出により基地局のセキュリティを提供する装置に含まれる顔情報を検出する端末機の画像通信方法であって、（ａ）映像信号を生成し、前記映像信号から顔情報を検出する段階と、（ｂ）前記映像信号から顔情報が検出された場合は、前記顔情報がユーザの顔であるか否かを判別する段階と、（ｃ）前記顔情報がユーザの顔である場合は、前記顔情報入りの映像信号を前記基地局に対して送信する段階とを含んで構成される（請求項１１）。
【００１４】
また、前記画像通信装置において、より望ましくは、前記映像信号に含まれた背景または人物に関する映像を編集する映像編集部を更に備えて構成される（請求項１０）。
【００１５】
前記目的を達成するために、本発明に係る顔情報を検出する端末機の画像通信方法は、前記顔情報の検出により基地局のセキュリティを提供する装置に含まれる顔情報を検出する端末機の画像通信方法であって、（ａ）映像信号を生成し、前記映像信号から顔情報を検出する段階と、（ｂ）前記映像信号から顔情報が検出された場合は、前記顔情報がユーザの顔であるか否かを判別する段階と、（ｃ）前記顔情報がユーザの顔である場合は、前記顔情報入りの映像信号を送信する段階とを含んで構成される（請求項１１）。
【００１６】
前記画像通信方法において、望ましくは、前記（ｃ）段階において、前記顔情報がユーザの顔でない場合は前記映像信号を遮断するように構成することができる（請求項１２）。
【００１７】
前記画像通信方法において、より望ましくは、前記映像信号を送信する前に、前記映像信号に含まれた背景または人物に関する映像を編集するように構成することができる（請求項１３）。
【００１８】
前記目的を達成するために、本発明に係るコンピュータで実行可能なプログラムを記録したコンピュータで読取り可能な記録媒体は、前記顔情報を検出する端末機の画像通信方法の、コンピュータで実行することが可能なプログラムを記録したコンピュータで読取り可能な記録媒体であって、（ａ）端末機から発信された映像信号を受信して前記映像信号に顔情報が含まれているか否かを確認する段階と、（ｂ）前記端末機の発信位置を検出し、前記発信位置がセキュリティ地域に属しているか否かを確認する段階と、（ｃ）前記発信位置がセキュリティ地域に属していない場合、あるいは、前記発信位置がセキュリティ地域に属しつつ前記映像信号に顔情報が含まれている場合は前記映像情報を前記基地局に対して送信し、前記発信位置がセキュリティ地域に属しつつ前記映像信号に顔情報が含まれていない場合は前記映像情報を端末機に対して送信しない段階とを含んで構成される（請求項１４）。
【００１９】
また、前記目的を達成するために、本発明に係るコンピュータで実行するためのプログラムを記録したコンピュータで読取り可能な記録媒体は、前記顔情報を検出する端末機の画像通信方法のコンピュータで実行することが可能なプログラムを記録したコンピュータで読取り可能な記録媒体であって、（ａ１）映像信号を生成し、前記映像信号から顔情報を検出する段階と、（ｂ１）前記映像信号から顔情報が検出された場合は、前記顔情報がユーザの顔であるか否かを判別する段階と、（ｃ１）前記顔情報がユーザの顔である場合は、前記顔情報入りの映像信号を前記基地局に対して送信する段階とを含んで構成される（請求項１５）。
【００２０】
【発明の実施の形態】
以下、図面に基づいて、本発明をより詳細に説明する。
図１は、本発明に係る一実施形態であり、端末機から送られてきた信号に対するセキュリティを提供するための、基地局の信号セキュリティを提供する装置の構成を示すブロック図である。また、図２は、図１に示す装置で実行される方法を説明するためのフローチャートである。
【００２１】
信号受信部１２は、アンテナを介して端末機（図示せず）から送られてきた信号を受信する（ステップ２１）。この端末機は、映像情報と共に音声情報またはデータ情報も送信することができる。そして、顔情報検出部１３は、端末機信号から映像信号を検出（ステップ２２）した後、その検出された映像信号に顔情報があるか否かを確認する（ステップ２３）。ここで、顔特徴点データベース１４には、映像パターンが顔情報に該当するか否かを分類するのに用いられる顔パターンの特徴点に関する情報が蓄積されており、これは、映像情報から顔情報を検出するのに用いられる。また、顔特徴点データベース１４には、顔パターンに関するデータ及び顔パターンではないデータに関して学習過程を通じて生成された特徴点データが蓄積されている。
【００２２】
顔情報検出部１３は、映像信号の明るさ情報から顔パターン情報が失われないように特徴ベクトルを抽出する。このパターンを認識するための特徴点抽出技術としては、ＰＣＡ（Ｐｒｉｎｃｉｐｌｅ  Ｃｏｍｐｏｎｅｎｔ  Ａｎａｌｙｓｉｓ）、ＩＣＡ（Ｉｎｄｅｐｅｎｄｅｎｔ  Ｃｏｍｐｏｎｅｎｔ  Ａｎａｌｙｓｉｓ）、ウェーブレットなど、様々な方法を適用することができる。
【００２３】
また、顔情報検出部１３は、受信した映像信号から抽出された特徴ベクトル、及び予め学習しておいた特徴点データに基づき、映像信号に顔パターンがあるか否かを判断する。ここで、顔パターンがある場合は、その顔パターンの位置及び大きさに関する情報についても検出する。なお、顔情報検出部１３における顔／非顔パターン分類のためには、線形分類器のみならず、神経回路網やＳＶＭ（Ｓｕｐｐｏｒｔ  Ｖｅｃｔｏｒ  Ｍａｃｈｉｎｅ）などの非線形分類器を適用することも可能である。
【００２４】
一方、データベース１７には、セキュリティを要するセキュリティ地域に関する位置情報が、ユーザから前もって登録され、蓄積されている。そして、位置判別部１６は、端末機の発信位置に関する情報を検出し（ステップ２６）、端末機の発信位置とデータベース１７に蓄積された位置情報とを比較してセキュリティ地域に属しているか否かを確認する（ステップ２７）。ここで、端末機の発信位置は、端末機から送られてきた信号を分析して検出しても良く、中継器や基地局に関する情報から検出しても良い。また、セキュリティ地域に別途の装置を設け、その地域内において端末機から信号の送信があれば、これを基地局に知らせるか、あるいは、端末機の信号に更に信号を付加して送信することができる。
【００２５】
制御部１５は、信号受信部１２から発信された映像信号を受信し、端末機の発信位置がセキュリティ地域に属していない場合は（ステップ２８）、映像情報を受信した状態のままで送信する（ステップ２９）。一方、端末機の発信位置がセキュリティ地域に属している場合（ステップ２８）には、映像信号に顔情報が含まれている場合は（ステップ２４）映像情報を送信し（ステップ２９）、顔情報が含まれていない場合は（ステップ２４）映像情報を遮断する（ステップ２５）。すなわち、端末機の発信位置がセキュリティ地域に属していない場合は、映像信号に顔情報が含まれているか否かを問わず映像情報を送信する。なお、映像情報を送信する場合にも、顔の位置及び境界線を含む顔情報のみを抽出して背景映像を除いた顔情報のみを送信することも可能である。
【００２６】
図３は、本発明の一実施の形態による、画像通信が可能な端末機における画像情報に対するセキュリティ提供装置の構成を示すブロック図である。また、図４は、図３に示す装置において実行される方法を説明するフローチャートである。ここで、端末機には、画像送信が可能なあらゆる通信用装置が含まれ、例えば、移動体通信機、固定通信機、インターネットで通信を行うためのパソコン等の各種の通信装置などが挙げられる。
【００２７】
画像端末機に取り付けられたカメラ３１は、映像情報を得る（ステップ４１）。そして、顔情報検出部３２は、映像信号から顔情報を検出する（ステップ４２）。また、顔特徴点データベース３３には、顔パターンの認識のための特徴点に関するデータが蓄積されており、これは、映像情報から顔情報を検出するために用いられる。また、顔特徴点データベース３３には、顔パターンに関するデータ及び顔パターンではないデータに関して学習過程を通じて生成された特徴点データが蓄積されている。
【００２８】
顔情報検出部３２は、映像信号の明るさ情報から顔パターン情報に関する特徴ベクトルを抽出する。ここで、パターン認識のための特徴点抽出技術としては、ＰＣＡ、ＩＣＡ、ウェーブレットなど、様々な方法を適用することが可能である。また、線形分類器やＳＶＭなどの各種の分類関数を用いて映像信号に顔パターンがあるか否かを判断することができる。更に、受信した映像信号から抽出された特徴ベクトル及び前もって学習しておいた特徴点データ比較に基づき分類することもできる。
【００２９】
顔情報検証部３４は、映像信号から顔情報が検出されれば（ステップ４３）、顔情報がユーザの顔であるか否かを判別する（ステップ４４）。ここで、ユーザ顔パターンデータベース３５には、ユーザの顔映像に関するパターン情報が蓄積されている。そして、顔情報検証部３４は、顔情報検出部３２において検出された顔情報とデータベース３５に蓄積されているパターン情報とを比較するものである。
【００３０】
映像信号から検出された顔情報がユーザの顔である場合は、信号送信部３８は、顔情報入りの映像信号を送信する（ステップ４８）。信号送信部３８は、映像信号から顔情報が検出されないか、または、顔情報がユーザの顔でない場合は、前記映像信号を遮断（ステップ４９）したり、あるいは、端末機の動作をオフにしたりする。
【００３１】
前記したように、端末機において、ユーザの顔情報の真偽に基づき映像信号が送信されたか否かを判別する方法は、図１及び図２に基づいて説明した基地局に対しても適用することが可能である。すなわち、各端末機の電話番号に対応して各端末機のユーザに関する顔情報を基地局に蓄積しておき、ある端末機が基地局への画像通信を要求する場合に、映像情報から各ユーザの顔情報を検出した後、その検出された顔情報が当該端末機のユーザの顔と一致するか否かを判断することができる。そして、一致しない場合は、端末機の発信位置がセキュリティ地域に属しているか否かを問わず映像信号の送信を遮断することができる。
【００３２】
一方、映像編集部３６は、ユーザから映像編集の要求がある場合（ステップ４６）、映像信号に含まれた背景または人物に対する映像を編集することができる（ステップ４７）。ここで、編集映像データベース３７には、背景や人物の映像に関する様々な映像情報が蓄積されている。そして、映像編集部３６は、カメラ３１で生成された映像信号及び顔情報検出部３２で検出された顔情報を取得する一方、顔情報が映像信号に占める位置、及びその大きさに関する情報を検出することができる。
【００３３】
背景編集モードの場合、映像信号から顔情報に該当する映像のみを抽出した後、編集映像データベース３７からユーザが任意の背景映像を選択して背景映像に顔映像を重ねて編集した映像信号を生成する。一方、顔編集モードの場合、編集映像データベース３７からユーザが任意の顔映像を選択した後、映像信号のうち顔情報に該当する部分を前記選択された顔映像に取り替えて編集した映像信号を生成する。編集モードにより映像信号が編集された場合、信号送信部３８は、元の映像信号の代わりに前記編集された映像信号を送信する。
【００３４】
図５は、編集モードにより原映像の背景または顔（または人物）の一部分が編集された１例の映像を表わす図である。ここで、図５の（ａ）は原映像を表し、（ｂ）は原映像の背景部分が特定の背景映像に編集された映像を表し、（ｃ）は原映像の人物部分が他の人物の映像に編集された映像を表す。なお、編集に用いられる背景映像や人物映像は、データベースに予め蓄積しておき、ユーザが任意に選択することができる。
【００３５】
本実施の形態における端末機は、前記したように、セキュリティ機能を設定するための別途のキーを具備することができる。このセキュリティ機能キーの入力があれば前記の通り動作する一方、セキュリティ機能キーの入力がなければセキュリティ機能なしで通常の通信過程を実行する。
【００３６】
本発明による方法は、コンピュータで読取り可能な記録媒体にコンピュータで読取り可能なコードとして具現することが可能である。また、本発明による通信プロトコルに用いられるメッセージのデータ構造は、コンピュータで読取り可能な記録媒体に蓄積された状態で送信することが可能である。ここで、コンピュータで読取り可能な記録媒体は、コンピュータシステムにより読取り可能なデータを蓄積することができる、あらゆる種類の記録装置を含むものである。例えば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、ＣＤ−ＲＯＭ（Ｃｏｍｐａｃｔ−Ｄｉｓｋ  Ｒｅａｄ−Ｏｎｌｙ  Ｍｅｍｏｒｙ）、磁気テープ、フレキシブルディスク、光データ蓄積装置などが挙げられ、また、キャリアウェーブ（例えば、インターネットを介した送信）の形態で具現化されるものも含まれる。また、コンピュータで読取り可能な記録媒体は、ネットワークにより連結されたコンピュータシステムに分散され、分散方式によりコンピュータで読取り可能なコードが蓄積された状態で実行することが可能である。
【００３７】
本発明は、前記したような本発明の望ましい実施形態のみに限定されるものではなく、本発明の技術的思想に基づく限りにおいて、本発明の属する技術分野で通常の知識を有する者であれば、本発明の特許請求の範囲内で、前記した本発明に係る実施形態の各種の変形が可能なことは勿論のこと、このような本発明に係る実施形態の各種の変形は、本明細書の特許請求の範囲内にある。
【００３８】
【発明の効果】
以上説明した通りに構成される本発明によれば、以下の効果を奏する。
すなわち、本発明に係る顔情報の検出を用いて基地局または端末機におけるセキュリティ提供装置及びその方法によれば、画像端末機を用いて映像を送信する場合、送信対象の映像信号に含まれる特定情報に基づきその映像信号を送信するか否かを決定することにより、映像通信を行う場合に、セキュリティを確保するために別途の装置を設けることなく、また、個人の権利が侵害されることがないように、セキュリティの確保が要求される映像が無断で相手方に送信されるのを防止することができる。
【００３９】
また、本発明に係る顔情報の検出を用いて基地局におけるセキュリティ提供装置及びその方法によれば、端末機から送られてきた映像信号に顔情報が含まれるか否かによって映像信号を送信するか否かを決定することにより、端末機が利用された場所の周囲の背景が、相手方に無制限に送信されることを防止することができる。また、本発明に係る顔情報の検出を用いて端末機におけるセキュリティ提供装置及びその方法によれば、カメラに入力された映像信号に真のユーザの顔情報が含まれている場合は映像信号を送信し、含まれていない場合は映像信号を遮断し、あるいは、端末機における信号送信そのものを遮断することにより、端末機が他人によって不正に使用されることを防止できる。
【図面の簡単な説明】
【図１】本発明に係る一実施形態の基地局における信号セキュリティ装置の構成を示すブロック図である。
【図２】図１に示す装置において行われる方法を説明するためのフローチャートである。
【図３】本発明に係る一実施形態の端末機におけるセキュリティ提供装置の構成を示すブロック図である。
【図４】図３に示す装置において行われる方法を説明するフローチャートである。
【図５】編集モードによって原映像の背景または顔（または人物）部分が編集された映像を示す図である。
【図１】
0004072821.tif 000002
【図２】
0004072821.tif 000003
【図３】
0004072821.tif 000004
【図４】
0004072821.tif 000005
【図５】
0004072821.tif 000006